(57)【特許請求の範囲】
【請求項１】
天板と、
前記天板の両側に設けられ前記天板を支持する側板と、
前記側板と略直交方向に設けられる前面パネルと、
前記前面パネルとカウンタが設置される床面との隙間に配置され、前記隙間に露出する化粧面、前記前面パネルの裏面に取り付けるための取付機構を含む取付面、および前記化粧面及び前記取付面と直交方向に配置され、配線の搭載面を含む配線受けを有する化粧用の幅木と、
を備え、
前記天板の両側の前記側板の間には、前記側板と並行して内側板が設けられ、
前記内側板は、前記前面パネルの裏面に当接するとともに、前記幅木の前記化粧面又は前記取付面を、前記前面パネルと裏面から支持することを特徴とする幅木を備えたカウンタ。
【発明の詳細な説明】
【技術分野】
【０００１】
本発明は、店舗等の接客用什器として用いられる、幅木を備えたカウンタに関する。
【背景技術】
【０００２】
従来、店舗等の接客用什器に用いられるカウンタの下端部分には、カウンタの前面に設けられたパネルと床との隙間を埋めるための化粧用の横板として、幅木が用いられる（特許文献１参照）。この幅木は、通常、カウンタを床に設置するに当たり、床の凹凸や傾斜によっても、カウンタの前面パネルと床との間に隙間が生じないよう、前面パネルに対して、幅木の高さ（化粧面の露出度合）を調整自在に取り付けた構造になっている（例えば、特許文献１の幅木１５の係合片１５ｅ参照）。
【０００３】
また、このようなカウンタにおいて、前面パネルの裏面では、天板上で用いるパソコン等の電子機器の配線を取り回す必要がある。例えば、従来、天板の底面に形成される枠体の側辺に配線挿通口を設け、幅木とパネルとの間に、配線ダクトを形成した技術が開示されている（特許文献２参照）。
【先行技術文献】
【特許文献】
【０００４】
【特許文献１】特開平１１−１６６２７９号公報
【特許文献２】特公平０８−８８８８号公報
【発明の概要】
【発明が解決しようとする課題】
【０００５】
ところで、上記の接客用什器に用いられるカウンタは、通常、納入先に搬送して組み立てた後、設置されるものである。したがって、現地での組み立ての容易さや、施工性の高さが求められる。
【０００６】
しかしながら、特許文献１のカウンタにおいて、幅木は、天板、前面パネルや側板とは別に設けられた枠材の前面に設けられ、また、カウンタ全体の底部に当たる位置に設けられている。そのため、この幅木の高さを調整するには、作業者はしゃがみ込んで枠材の間に手を入れて調整するなど、非常に手間を要する構成となっており、施工性に課題があった。
【０００７】
一方、特許文献２のカウンタは、部品点数が非常に多く、また配線ダクトの構造が複雑で配線の取り回しが難しいなど、施工性が高いものとはいえなかった。また、部品点数が多いためコスト高に繋がっていた。
【０００８】
本発明は、以上のような従来技術の課題を解決するために提案されたものであり、その目的は、施工性が高く、部品点数の減少によりコストダウンを図ることが可能な幅木を備えたカウンタを提供することにある。
【課題を解決するための手段】
【０００９】
上記目的を達成するため、請求項１の発明である幅木を備えたカウンタは、天板と、前記天板の両側に設けられ前記天板を支持する側板と、前記側板と略直交方向に設けられる前面パネルと、前記前面パネルとカウンタが設置される床面との隙間に配置され、前記隙間に露出する化粧面、前記前面パネルの裏面に取り付けるための取付機構を含む取付面、および前記化粧面及び前記取付面と直交方向に配置され、配線の搭載面を含む配線受けを有する化粧用の幅木とを備え、前記天板の両側の前記側板の間には、前記側板と並行して内側板が設けられ、前記内側板は、前記前面パネルの裏面に当接するとともに、前記幅木の前記化粧面又は前記取付面を、前記前面パネルと裏面から支持することを特徴とする。
【００１０】
以上の態様では、幅木を形成する化粧面と配線受けとが一体に設けられているので、カウンタに対して、幅木を取り付けることにより、幅木と配線受けとを一回で取り付けることが可能である。また、幅木をその部分単体で使用すると、幅木の取付に当たって、作業者はしゃがみ込んで取り付ける必要があり作業性が低い。これに対して、本発明では、幅木部分と配線受け部分とが一体に形成されているので、例えば、配線受け部分を取手にして幅木の化粧面の上下方向の位置決めができるので、幅木の位置決めが容易となる。このように本発明の幅木では、従来ものに比較して、施工性を高くすることが可能となる。
【００１１】
また、幅木部分と配線受け部分とを、一体に設ける、さらにいえば、一枚の板金を加工して一体に設けることで、部品点数を大幅に減少させることができる。したがって、少ない部品を組み立てればよく、施工性が高まるとともに、全体としてコストダウンを図ることができるようになる。
【００１２】
本発明のカウンタは、利用者（客側）が前面パネルの前方から利用する。この際、つま先などが、カウンタ最下部の幅木部分に当たって、内側すなわち幅木が設けられた前面パネル側に折り曲げられる可能性がある。この点、本発明のカウンタでは、内側板が、前面パネル裏面から幅木の化粧面に当接して、化粧面を前面パネル方向に支持しているので、利用者が前面パネル側からその下端部につま先などをぶつけたとしても、幅木が内側に曲がってしまうようなことがない。
【００１３】
また本発明は、前記取付面が、前面パネルに対する幅木の取り付け位置を調整可能な調整機構を備えることが好ましい。
以上の態様では、幅木の取り付け位置を調整可能であり、さらに、この調整を、幅木と配線受けとが一緒になっていることで、幅木のみを取り付ける場合と異なり、配線受けを取手として調整することができるので、施工性が高い。
【００１４】
さらに本発明は、前記搭載面には、搭載される配線を出し入れする配線用切欠が設けられることが好ましい。
カウンタは一般的に横長に形成されるので、それに伴って幅木も横長に一連に形成される。本発明では、配線受けもこの幅木の構成に追従して、搭載面を横長一連に構成したものとなる。そこで、本態様では、搭載面に、適宜配線用切欠を設けることで、搭載面の中途においても配線の出し入れを行うことができるようにし、カウンタ裏での配線の取り回しが容易に行えるようにしている。
【発明の効果】
【００１７】
以上のような本発明によれば、施工性が高く、部品点数の減少によりコストダウンを図ることが可能な、幅木を備えたカウンタを提供することができる。
【図面の簡単な説明】
【００１８】
【図１】本発明の実施の形態に係る幅木の構成を示す斜視図（ａ）及びＡ−Ａ矢視断面図（ｂ）。
【図２】本発明の実施の形態に係る幅木をカウンタに取り付けた構成を示す斜視図（ａ）及び側面図（ｂ）。
【図３】本発明の実施の形態に係る幅木を他のカウンタに取り付けた構成を示す平面図（ａ）及び（ｂ）。
【図４】本発明の他の実施の形態に係る幅木の構成を示す断面図。
【発明を実施するための形態】
【００１９】
以下、本発明の実施の形態（以下、本実施形態という。）について、図面を参照しながら説明する。なお、図面においては、一部分を省略して示す場合がある。
【００２０】
［１．本実施形態］
［１−１．構成］
（１）幅木の全体構成
本実施形態に係る幅木１は、店舗等の接客用什器として用いられるカウンタに用いるものであり、主としてカウンタの前面パネル下部と床面との隙間に配置されるものである。ここで、カウンタの前面パネルとは、カウンタにおいて、天板の下部に設けられ、店舗側と利用者側とを隔てる板であり、利用者側から店舗側のカウンタ下部が見えないように配置したものをいう。
【００２１】
図１に示すように、幅木１は、前述の隙間を埋める部分であり前面パネル下部からカウンタ前方に露出する化粧面２と、化粧面２の上部に設けられ幅木１の前面パネルへの取り付けと化粧面２の露出具合、すなわち幅木１の取付位置を調整する役割をなす取付面３と、カウンタ裏面において電子機器の配線を搭載して取り回す配線受け４とを備える。ここで、通常、幅木はその面を、カウンタの前面パネルの配置に合わせて垂直方向に立てて用いられるので、図１に化粧面２及び取付面３を垂直方向に配置した状態として説明する。
【００２２】
幅木１は、上述のようなカウンタの前面パネルの背面に取り付けられるものであり、その全体形状は、幅方向に細長に構成される。幅木１の寸法の一例を挙げれば、高さ方向の長さは１６０ｍｍ程度で、幅方向の長さは、カウンタの幅に合わせて１２００ｍｍ程度又は１５００ｍｍ程度で構成される。なお、幅木１のカウンタへの取り付けやカウンタとの関係については後述する。
【００２３】
幅木１を構成する化粧面２、取付面３及び配線受け４とは、説明の便宜上、各部分に分けて説明するが、実際には一枚の板金を加工し、折り曲げて変形させることにより構成するものである。また、化粧面２、取付面３及び配線受け４は、図１における下側よりこの順番に設けられている。
【００２４】
化粧面２は、幅木１の主たる作用を担う部分であり、幅木１を前面パネルに取り付けた場合に、カウンタの下端において、前面パネルと床との間に配置され、前面パネルからカウンタ前方に露出した化粧板をなす部分である。化粧面２の正面側、すなわち、前面パネルへの取付面側には、カウンタのデザインに応じた装飾等を施すことも可能である。
【００２５】
化粧面２の下端部分及び両側部分は、Ｌ字状ないし釣り針状に内側、すなわち前面パネルとの取付側と反対側に折り返して、段返り部２１を構成している。この段返り部２１は、幅木１の下端が床と当接する箇所においてその当接具合を良好にするためのものであるとともに、両側を折り返すことで化粧面２全体の強度を高めるためのものである。
【００２６】
取付面３は、化粧面２の上部に形成される部分であって、幅木１をカウンタの前面パネルに取り付ける機構を有する部分であり、化粧面２をカウンタの前面パネルに取り付けるに当たって、前面パネルとの高さ位置を調整する手段である。そのため、本実施形態では化粧面２と面一にして、垂直方向にその面を備える。
【００２７】
なお、化粧面２と取付面３は、必ずしも面一である必要はなく、その間に段差が設けられている態様もあり得る。また、化粧面２と取付面３とは一枚の板金で形成されている必要もなく、別部材により作製され接合等されている態様も含む。
【００２８】
取付面３における化粧面２の露出具合を調整する調整機構は、幅木１の高さ方向に縦長の貫通孔３１を複数備えることによって構成される。この縦長の貫通孔３１は、幅木１の幅方向に複数設けられる。化粧面２の露出具合の調整は、長孔の高さ方向のいずれかの位置において、ビスＶによりカウンタの前面パネルに固定することにより行う。
【００２９】
配線受け４は、取付面３の上部において、主として、垂直方向に面一に形成される化粧面２及び取付面３に対して直交方向、すなわち、図１において水平方向に折り曲げて構成される。
【００３０】
配線受け４は、水平方向に面を形成する部分がカウンタの裏面側で取り回される配線を搭載するための搭載面４１と、この搭載面４１の端部で、垂直方向に立ち上がった立上がり部４２とを備える。立上がり部４２は、搭載される配線の脱落を防止するものである。
【００３１】
搭載面４１には、所定の間隔で、配線用の切欠４３が設けられている。この切欠４３は、カウンタの前面パネルの裏面において幅方向に配置される配線受け４において、その中途で配線を適宜搭載し、又は離脱させるためのものである。
【００３２】
（２）幅木と幅木を取り付けたカウンタの構成
次に、上記のように構成される幅木１をカウンタ５に取り付けた場合の実施態様を説明する。図２は、本実施形態の幅木１を取り付けるカウンタ５の一例を示す斜視図（ａ）と側断面図（ｂ）である。同図に示すように、カウンタ５は、天板５１と、前面パネル５２と、この天板５１の両側で天板５１及び前面パネル５２を支持する側板５３と、側板５３と並行して設けられた内側板５４とを備える。
【００３３】
まず、カウンタ５に対する幅木１の取付について説明する。図２に示すように、幅木１は、カウンタ５において、前後の関係において前面パネル５２と内側板５４との間に配置されるものであり、配線受け４を上方に、化粧面２を下方に向けて、前面パネル５２の下端部と床との間の隙間に配置される。幅木１は、前面パネル５２に対して、図２（ａ）の斜視図に示すように、取付面３において幅方向に設けた３つの貫通孔３１において、ビスＶにより固定されるようになっている。
【００３４】
次にカウンタ５を構成する内側板５４の構成について説明する。図２（ａ）に示すように、内側板５４は、天板５１のカウンタ５の左右両側に設けられた側板５３に並行してこの間に、カウンタ５の天板５１及び前面パネル５２を支持するために設けられたものである。同図（ｂ）示すように、基本的には平板状で構成され、下端部の床との当接部分には、ねじ込みにより化粧面２の露出具合を調整することが可能なスペーサＳが設けられている。
【００３５】
本実施形態において、この内側板５４の顕著な構成は、内側板５４の下方の一部に、コの字状の凹部５５を設け、さらに、その凹部５５下部の先端が、幅木１の取付面３及び化粧面２を、前面パネル５２と反対側から幅木１の化粧面２及び取付面３近傍に当接し、幅木１を前面パネル５２方向に向かって支持するように構成される点にある。
【００３６】
なお、本実施形態において示すカウンタ５の天板５１、前面パネル５２及び側板５３の構成自体は、従来と同様であり、特段本願において顕著な構成を有するものではないので、詳細な構成について説明は省略する。
【００３７】
［１−２．作用効果］
以上のような構成からなる本実施形態の幅木１及び幅木１を備えたカウンタ５は、次のように作用する。幅木１の取り付けに当たっては、まず、ビスＶを仮留めし、幅木１全体を上下方向にスライドさせ、位置決めした後に本締めすることで固定する。この位置決めは、化粧面２下端の段返り部２１が、床に当接するように、幅木１を下方に下げるようにして行う。このとき、従来のように幅木単体で設けられたのと異なり、配線受け４部分が一体に設けられているので、この配線受け４部分を持ち、配線受け４部分を上下に動かすことで、幅木１の位置決めを行うことも可能である。
【００３８】
このように本実施形態の幅木１によれば、幅木１部分と配線受け４とが一体に設けられているので、カウンタ５に対して、幅木１を取り付けることにより、幅木１と配線受け４とを一回で取り付けることが可能である。また、幅木の部分のみであると、幅木の取付に当たって、前面パネルの下端で、作業者はしゃがみ込んで化粧面の露出具合を調整しながら取り付けるため作業性が悪い。これに対して、本実施形態では、幅木１部分と配線受け４部分とが一体であるので、例えば配線受け４部分を取手として上下方向の位置決めができるので、幅木１の位置決めが容易となる。このように本実施形態の幅木１によれば、従来技術に比較し、施工性を非常に高くすることが可能となる。
【００３９】
また、幅木１部分と配線受け４部分とを、一枚の板金を加工して一体に設け、さらに、配線受け４部分の取付も、幅木１をなす化粧面２の上部に設けた取付面３によって行う。これにより、部品点数を大幅に減少させることができ、施工が容易になるとともに、全体としてコストダウンを図ることができるようになる。
【００４０】
本実施形態では、配線受け４の搭載面４１に、搭載面４１に搭載される配線の出し入れを行う切欠４３を複数設けた。ここで、カウンタは一般的に横長に形成されるので、それに伴って幅木１も横長に一連に形成される。そして、この幅木１の構成に追従して配線受け４も、搭載面４１を横長一連に構成したものとなる。そこで、本実施形態では、搭載面４１に、適宜配線用の切欠４３を設けることで、搭載面４１の中途においても配線の出し入れを行うことができるようにし、カウンタ裏での配線の取り回しが容易に行えるようにしている。
【００４１】
さらに、本実施形態では、カウンタ５を構成する内側板５４において、その下方の一部に、コの字状の凹部５５を設け、さらに、その凹部５５下部の先端が、幅木１の取付面３及び化粧面２を、前面パネル５２と反対側から幅木１の化粧面２及び取付面３の近傍に当接し、幅木１を前面パネル５２方向に向かって支持するように構成している。
【００４２】
ここで、本実施形態のカウンタ５では、利用者（客側）は前面パネル５２の前方から利用する。この際、つま先などが、カウンタ最下部の幅木１部分に当たって、内側すなわち幅木１が設けられた前面パネル５２側に折り曲げられる可能性がある。
【００４３】
この点、本実施形態のカウンタ５では、図２（ｂ）に示すように、内側板５４が、前面パネル５２裏面から幅木１の化粧面２に当接して、化粧面２を前面パネル５２方向に支持しているので、利用者が前面パネル５２側からその下端部につま先などをぶつけたとしても、幅木１が内側に曲がってしまうような事態を防ぐことができる。
【００４４】
（３）他のカウンタ配置例における幅木１の取付け
本実施形態の幅木１は、図２で説明した方形上のカウンタなどのカウンタ５だけでなく、以下のような円形に配置される、いわゆるコーナーカウンタなどのカウンタ６においても取り付けが可能である。
【００４５】
すなわち、図３に示すように円形に構成するカウンタ６（６ａ，６ｂ）には、前面パネル６２（６２ａ，６２ｂ）が円形の中心側に向いているか、円形の外周側に向いているかによって、幅木１の取り付け手法が異なる。図３（ａ）は、前面パネル６２を円形の外周側に向けて配置した例、すなわち、利用者（客側）が外周側を利用するカウンタの例であり、同図（ｂ）は、前面パネル６２を円形の中心側に向けて配置した例、すなわち、利用者（客側）が内周側を利用するカウンタの例である。
【００４６】
図３（ａ）に示す、前面パネル６２ａを円形の外周側に向けて配置した場合、３枚の前面パネル６２ａのそれぞれの内側に、幅木１を取り付ける。一方で、図３（ｂ）に示す、前面パネル６２ｂを円形の中心側に向けて配置した場合に、３枚の前面パネル６２ｂのそれぞれの外側に、幅木１を取り付ける。この場合の幅木１は、３辺を構成するので、各々の辺に対応する個別の幅木１を用意しても良いし、３辺一体の構成としても良い。なお、図３において、６１ａ，６１ｂは天板を示す。また、各幅木の間には、内側板６４が設けられている。
【００４７】
このように本実施形態の幅木１及び幅木１を備えたカウンタとして、図２で示した方形のカウンタ５だけでなく、図３に示すような円形のカウンタ６においても、取り付けることができる。
【００４８】
［３．他の実施形態］
上記本実施形態において示した態様に限定されるものではなく、例えば、以下のような実施形態も包含するものである。本実施形態では、幅木１の配線受け部を、上端部に一段の構成としたが、本発明はこのような態様に限られず、例えば、図４に示すように、上部を延伸して配線受けを２段設けた幅木１０も構成可能である。このように、配線受けを２段又は複数段の構成とすることにより、カウンタの天板上で用いる電子機器の配線を効率的に収納することが可能となる。
【００４９】
本実施形態においては、幅木を構成する化粧面、取付面、配線受けの３要素を、一枚の板金により一体的成形することとしているが、本発明ではこのような態様に限られず、例えば、化粧面及び取付面の一枚の平面板金と、配線受けとを別々に作製し、結合して一体とした後、前面パネルに取り付けるような態様も包含する。つまり、前面パネルに取り付ける際に、一体として構成されていれば、その前段階の構成は問わない。
【符号の説明】
【００５０】
１，１０…幅木
２…化粧面
２１…段返り部
３…取付面
３１…貫通孔
４…配線受け
４１…搭載面
４２…立上がり部
４３…切欠
５，６，６ａ，６ｂ…カウンタ
５１，６１，６１ａ，６１ｂ…天板
５２，６２…前面パネル
５３…側板
５４…内側板
５５…凹部
Ｓ…スペーサ
Ｖ…ビス
【図１】
0005749103.tif 000002
【図２】
0005749103.tif 000003
【図３】
0005749103.tif 000004
【図４】
0005749103.tif 000005